(57)【要約】【課題】シートが属する種類を判別することができるシート判別装置を提供する。【解決手段】シート判別装置は、シートに対して離散した複数の波長の光を照射する発光素子、シートからの光を受光する受光素子、受光した光から、複数の波長の光の強度をそれぞれ求め、求めた複数の強度における変化の度合を算出する演算部５３、算出した変化の度合を用いて、前記シートが第１の種類に属するか、第２の種類に属するかを判別する判断部５２を備える。【選択図】図６
2019132697.tif 000002
【特許請求の範囲】
【請求項１】
シートが属する種類を判別するシート判別装置であって、
シートに対して離散した複数の波長の光を照射する発光手段と、
前記シートからの光を受光する受光手段と、
受光した光から、前記複数の波長の光の強度をそれぞれ求め、求めた前記複数の強度における変化の度合を算出する算出手段と、
算出した前記変化の度合を用いて、前記シートが第１の種類に属するか、第２の種類に属するかを判別する判別手段と
を備えることを特徴とするシート判別装置。
【請求項２】
前記発光手段は、７６０ｎｍから１４００ｎｍまでの波長帯域の中で、前記複数の波長の光を照射する
ことを特徴とする請求項１に記載のシート判別装置。
【請求項３】
前記発光手段は、前記複数の波長の光をそれぞれ照射する複数の発光素子を有する
ことを特徴とする請求項１又は２に記載のシート判別装置。
【請求項４】
前記受光手段は、前記複数の波長の光をそれぞれ受光する複数の受光素子を有する
ことを特徴とする請求項１〜３の何れかに記載のシート判別装置。
【請求項５】
前記判別手段は、算出した前記変化の度合が所定の範囲内に存在するか否かを判断し、前記所定の範囲内に存在する場合に、前記第１の種類であるコート紙であると判別し、前記所定の範囲内に存在しない場合、前記第２の種類である非コート紙であると判別する
ことを特徴とする請求項１〜４の何れかに記載のシート判別装置。
【請求項６】
前記算出手段は、前記変化の度合として、前記複数の波長の光のうち、一つの波長の光の強度に対する、当該波長より長い波長を有する他の光の強度の比率を算出し、
前記変化の度合が前記所定の範囲内に存在することは、算出された前記比率が所定の閾値以上であることに対応し、前記変化の度合が前記所定の範囲内に存在しないことは、算出された前記比率が前記所定の閾値未満であることに対応し、
前記判別手段は、算出した前記比率と前記所定の閾値とを比較し、前記比率が前記所定の閾値以上の場合に、コート紙であると判断し、前記比率が前記所定の閾値未満の場合に、非コート紙であると判断する
ことを特徴とする請求項５に記載のシート判別装置。
【請求項７】
前記算出手段は、前記変化の度合として、前記複数の波長の光のうち、少なくとも、第１の波長の第１の光と、前記第１の波長より長い第２の波長の第２の光とについて、前記第２の波長と前記第１の波長との差分に対する、前記第２の光の強度と前記第１の光の強度との差分の比率である傾きを算出し、
前記変化の度合が前記所定の範囲内に存在することは、算出された前記傾きが所定の閾値以上であることに対応し、前記変化の度合が前記所定の範囲内に存在しないことは、算出された前記傾きが前記所定の閾値未満であることに対応し、
前記判別手段は、算出した前記傾きと前記所定の閾値とを比較し、前記傾きが前記所定の閾値以上の場合に、コート紙であると判断し、前記傾きが前記所定の閾値未満の場合に、非コート紙であると判断する
ことを特徴とする請求項５に記載のシート判別装置。
【請求項８】
さらに、前記シートの光沢度を検出する光沢度検出手段を備え、
前記判別手段は、さらに、前記光沢度と第２閾値とを比較し、
コート紙であると判別する場合に、前記光沢度が前記第２閾値以上であるとき、光沢のあるコーティングがされているグロス紙であると判別し、前記光沢度が前記第２閾値未満であるとき、表面につや消しのコーティングがされているマット紙であると判別する
ことを特徴とする請求項５〜７の何れかに記載のシート判別装置。
【請求項９】
前記判別手段は、非コート紙であると判別する場合に、前記光沢度が前記第２閾値以上であるとき、非コート紙のうちの上質紙であると判別し、前記光沢度が前記第２閾値未満であるとき、非コート紙のうちの普通紙であると判別する
ことを特徴とする請求項８に記載のシート判別装置。
【請求項１０】
さらに、前記シートの厚みを検出する厚み検出手段を備え、
前記算出手段は、
前記複数の波長の光のうち、少なくとも、第１の波長の第１の光と、前記第１の波長より長い第２の波長の第２の光とについて、前記第２の波長と前記第１の波長との差分に対する、前記第２の光の強度と前記第１の光の強度との差分の比率である傾きを算出し、
前記変化の度合として、検出された前記厚みを用いて、算出した傾きを補正して、補正された傾きを算出し、
前記変化の度合が前記所定の範囲内に存在することは、補正された前記傾きが所定の閾値に近接する範囲内に存在することに対応し、前記変化の度合が前記所定の範囲内に存在しないことは、補正された前記傾きが前記所定の閾値に近接する範囲外に存在することに対応し、
前記判別手段は、補正された前記傾きが前記所定の閾値に近接する範囲に存在するか否かを判断し、補正された前記傾きが前記所定の閾値に近接する範囲内に存在する場合に、コート紙であると判断し、補正された前記傾きが前記所定の閾値に近接する範囲外に存在する場合に、非コート紙であると判断する
ことを特徴とする請求項５に記載のシート判別装置。
【請求項１１】
さらに、前記シートの厚みを検出する厚み検出手段を備え、
前記算出手段は、前記変化の度合として、前記複数の波長の光のうち、少なくとも、第１の波長の第１の光と、前記第１の波長より長い第２の波長の第２の光とについて、前記第２の波長と前記第１の波長との差分に対する、前記第２の光の強度と前記第１の光の強度との差分の比率である傾きを算出し、
検出された前記厚みを用いて、所定の閾値を補正して、補正された所定の閾値を算出し、
前記変化の度合が前記所定の範囲内に存在することは、算出された前記傾きが補正された所定の閾値に近接する範囲内に存在することに対応し、前記変化の度合が前記所定の範囲内に存在しないことは、算出された前記傾きが補正された前記所定の閾値に近接する範囲外に存在することに対応し、
前記判別手段は、算出された前記傾きが補正された前記所定の閾値に近接する範囲に存在するか否かを判断し、算出された前記傾きが補正された前記所定の閾値に近接する範囲内に存在する場合に、コート紙であると判断し、算出された前記傾きが補正された前記所定の閾値に近接する範囲外に存在する場合に、非コート紙であると判断する
ことを特徴とする請求項５に記載のシート判別装置。
【請求項１２】
シートが属する種類に応じて画像形成条件を調整する画像形成装置であって、
請求項１〜１１の何れかに記載のシート判別装置を有する
ことを特徴とする画像形成装置。
【請求項１３】
シートに対して離散した複数の波長の光を照射する発光手段と、前記シートからの光を受光する受光手段とを備えるシート判別装置で用いられるシートが属する種類を判別するシート判別方法であって、
受光した光から、前記複数の波長の光の強度をそれぞれ求め、求めた前記複数の強度における変化の度合を算出する算出ステップと、
算出した前記変化の度合を用いて、前記シートが第１の種類に属するか、第２の種類に属するかを判別する判別ステップと
を含むことを特徴とするシート判別方法。
【請求項１４】
シートに対して離散した複数の波長の光を照射する発光手段と、前記シートからの光を受光する受光手段とを備えるシート判別装置で用いられるシートが属する種類を判別するための制御用のコンピュータープログラムであって、
コンピューターである前記シート判別装置に、
受光した光から、前記複数の波長の光の強度をそれぞれ求め、求めた前記複数の強度における変化の度合を算出する算出ステップと、
算出した前記変化の度合を用いて、前記シートが第１の種類に属するか、第２の種類に属するかを判別する判別ステップと
を実行させるコンピュータープログラム。
【発明の詳細な説明】
【技術分野】
【０００１】
本発明は、シートが属する種類を判別する技術に関し、特に、コート紙と非コート紙を判別する技術に関する。
【背景技術】
【０００２】
電子写真方式を用いる画像形成装置では、シートの詰まり、画質の劣化、定着不良等を避けるため、シートの特性に応じて、画像形成条件を調整する必要があり、利用者がシートの厚みやシートが属する種類を設定している。
【０００３】
しかし、利用者がシートの特性を正確に把握していることは、稀であるし、シートの特性を調べて、その特性を設定することは、利用者にとっては煩わしい。
【０００４】
利用者に上記の設定をさせないで、シートが属する種類を自動判別するため、従来、例えば、シートに光を照射して、シートからの正反射光を検出し、全発光量に対する正反射光の受光量の比率（正反射率）により、用紙表面の粗さを区別して、シートが属する種類を判別している。
【０００５】
また、特許文献１によると、紙製や合成樹脂製のシートに近赤外線を照射し、その透過光を用いてシートの品質を測定している。シートの品質測定装置は、０．８μｍ〜２．６μｍの波長領域の近赤外線をシートに照射し、シートを透過した近赤外線を受光し、１．８μｍ、１．９μｍ、２．１μｍ、２．３μｍ、２．４μｍの５つの波長帯域でスペクトル解析を行う。波長１．９μｍは、水分が吸収を生じる波長であり、波長２．１μｍは、セルロースが吸収を生じる波長である。波長２．３μｍは、灰分が吸収を生じる波長であり、波長２．４μｍは、コーティング材が吸収を生じる波長である。こうして、近赤外線が吸収されるピーク波長を用いて、シートの水分、セルロース、灰分、コーティング材の量を算出する。このようにして、シートの品質が測定される。
【先行技術文献】
【特許文献】
【０００６】
【特許文献１】特開２００１−１９４３０１号公報
【発明の概要】
【発明が解決しようとする課題】
【０００７】
正反射率を用いて、シートが属する種類を判別する方法を用いる場合には、表面につや消しのコーティングがされているマット紙と、表面にコーティングがされていない非コート紙とで、正反射光の光量に差がないため、マット紙と非コート紙との判別の精度が低いという問題がある。
【０００８】
また、表面にコーティングがされているコート紙と、非コート紙とを判別する際に、近赤外線が吸収されるピーク波長を用いて、シートが属する種類を判別しようとすると、コーティング材の種類により、吸収を生じる光のピーク波長が異なるため、あらゆる種類のコーティング材について、吸収を生じるピーク波長を検出するセンサーを備える必要があり、コストアップにつながるという問題がある。
【０００９】
本発明は、このような問題を解決するため、シートが属する種類がコート紙であるか、非コート紙であるかを判別することができるシート判別装置及びシート判別装置を備える画像形成装置を提供することを目的とする。
【課題を解決するための手段】
【００１０】
上記目的を達成するため、本発明は、シートが属する種類を判別するシート判別装置であって、シートに対して離散した複数の波長の光を照射する発光手段と、前記シートからの光を受光する受光手段と、受光した光から、前記複数の波長の光の強度をそれぞれ求め、求めた前記複数の強度における変化の度合を算出する算出手段と、算出した前記変化の度合を用いて、前記シートが第１の種類に属するか、第２の種類に属するかを判別する判別手段とを備えることを特徴とする。
【００１１】
ここで、前記発光手段は、７６０ｎｍから１４００ｎｍまでの波長帯域の中で、前記複数の波長の光を照射する、としてもよい。
【００１２】
ここで、前記発光手段は、前記複数の波長の光をそれぞれ照射する複数の発光素子を有する、としてもよい。
【００１３】
ここで、前記受光手段は、前記複数の波長の光をそれぞれ受光する複数の受光素子を有する、としてもよい。
【００１４】
ここで、前記判別手段は、算出した前記変化の度合が所定の範囲内に存在するか否かを判断し、前記所定の範囲内に存在する場合に、前記第１の種類であるコート紙であると判別し、前記所定の範囲内に存在しない場合、前記第２の種類である非コート紙であると判別する、としてもよい。
【００１５】
ここで、前記算出手段は、前記変化の度合として、前記複数の波長の光のうち、一つの波長の光の強度に対する、当該波長より長い波長を有する他の光の強度の比率を算出し、前記変化の度合が前記所定の範囲内に存在することは、算出された前記比率が所定の閾値以上であることに対応し、前記変化の度合が前記所定の範囲内に存在しないことは、算出された前記比率が前記所定の閾値未満であることに対応し、前記判別手段は、算出した前記比率と前記所定の閾値とを比較し、前記比率が前記所定の閾値以上の場合に、コート紙であると判断し、前記比率が前記所定の閾値未満の場合に、非コート紙であると判断する、としてもよい。
【００１６】
ここで、前記算出手段は、前記変化の度合として、前記複数の波長の光のうち、少なくとも、第１の波長の第１の光と、前記第１の波長より長い第２の波長の第２の光とについて、前記第２の波長と前記第１の波長との差分に対する、前記第２の光の強度と前記第１の光の強度との差分の比率である傾きを算出し、前記変化の度合が前記所定の範囲内に存在することは、算出された前記傾きが所定の閾値以上であることに対応し、前記変化の度合が前記所定の範囲内に存在しないことは、算出された前記傾きが前記所定の閾値未満であることに対応し、前記判別手段は、算出した前記傾きと前記所定の閾値とを比較し、前記傾きが前記所定の閾値以上の場合に、コート紙であると判断し、前記傾きが前記所定の閾値未満の場合に、非コート紙であると判断する、としてもよい。
【００１７】
ここで、さらに、前記シートの光沢度を検出する光沢度検出手段を備え、前記判別手段は、さらに、前記光沢度と第２閾値とを比較し、コート紙であると判別する場合に、前記光沢度が前記第２閾値以上であるとき、光沢のあるコーティングがされているグロス紙であると判別し、前記光沢度が前記第２閾値未満であるとき、表面につや消しのコーティングがされているマット紙であると判別する、としてもよい。
【００１８】
ここで、前記判別手段は、非コート紙であると判別する場合に、前記光沢度が前記第２閾値以上であるとき、非コート紙のうちの上質紙であると判別し、前記光沢度が前記第２閾値未満であるとき、非コート紙のうちの普通紙であると判別する、としてもよい。
【００１９】
ここで、さらに、前記シートの厚みを検出する厚み検出手段を備え、前記算出手段は、前記複数の波長の光のうち、少なくとも、第１の波長の第１の光と、前記第１の波長より長い第２の波長の第２の光とについて、前記第２の波長と前記第１の波長との差分に対する、前記第２の光の強度と前記第１の光の強度との差分の比率である傾きを算出し、前記変化の度合として、検出された前記厚みを用いて、算出した傾きを補正して、補正された傾きを算出し、前記変化の度合が前記所定の範囲内に存在することは、補正された前記傾きが所定の閾値に近接する範囲内に存在することに対応し、前記変化の度合が前記所定の範囲内に存在しないことは、補正された前記傾きが前記所定の閾値に近接する範囲外に存在することに対応し、前記判別手段は、補正された前記傾きが前記所定の閾値に近接する範囲に存在するか否かを判断し、補正された前記傾きが前記所定の閾値に近接する範囲内に存在する場合に、コート紙であると判断し、補正された前記傾きが前記所定の閾値に近接する範囲外に存在する場合に、非コート紙であると判断する、としてもよい。
【００２０】
ここで、さらに、前記シートの厚みを検出する厚み検出手段を備え、前記算出手段は、前記変化の度合として、前記複数の波長の光のうち、少なくとも、第１の波長の第１の光と、前記第１の波長より長い第２の波長の第２の光とについて、前記第２の波長と前記第１の波長との差分に対する、前記第２の光の強度と前記第１の光の強度との差分の比率である傾きを算出し、検出された前記厚みを用いて、所定の閾値を補正して、補正された所定の閾値を算出し、前記変化の度合が前記所定の範囲内に存在することは、算出された前記傾きが補正された所定の閾値に近接する範囲内に存在することに対応し、前記変化の度合が前記所定の範囲内に存在しないことは、算出された前記傾きが補正された前記所定の閾値に近接する範囲外に存在することに対応し、前記判別手段は、算出された前記傾きが補正された前記所定の閾値に近接する範囲に存在するか否かを判断し、算出された前記傾きが補正された前記所定の閾値に近接する範囲内に存在する場合に、コート紙であると判断し、算出された前記傾きが補正された前記所定の閾値に近接する範囲外に存在する場合に、非コート紙であると判断する、としてもよい。
【００２１】
また、本発明は、シートが属する種類に応じて画像形成条件を調整する画像形成装置であって、上記のシート判別装置を有することを特徴とする。
【００２２】
また、本発明は、シートに対して離散した複数の波長の光を照射する発光手段と、前記シートからの光を受光する受光手段とを備えるシート判別装置で用いられるシートが属する種類を判別するシート判別方法であって、受光した光から、前記複数の波長の光の強度をそれぞれ求め、求めた前記複数の強度における変化の度合を算出する算出ステップと、算出した前記変化の度合を用いて、前記シートが第１の種類に属するか、第２の種類に属するかを判別する判別ステップとを含むことを特徴とする。
【００２３】
また、本発明は、シートに対して離散した複数の波長の光を照射する発光手段と、前記シートからの光を受光する受光手段とを備えるシート判別装置で用いられるシートが属する種類を判別するための制御用のコンピュータープログラムであって、コンピューターである前記シート判別装置に、受光した光から、前記複数の波長の光の強度をそれぞれ求め、求めた前記複数の強度における変化の度合を算出する算出ステップと、算出した前記変化の度合を用いて、前記シートが第１の種類に属するか、第２の種類に属するかを判別する判別ステップとを実行させることを特徴とする。
【発明の効果】
【００２４】
上記の構成によると、シートが属する種類がコート紙であるか、非コート紙であるかを低いコストで判別できるという優れた効果を奏する。
【図面の簡単な説明】
【００２５】
【図１】（ａ）４種の非コート紙に、約４００ｎｍから約２０００ｎｍの間の波長帯域の光を照射して得られた光の透過率の推移を示す。（ｂ）４種のコート紙に、約４００ｎｍから約２０００ｎｍの間の波長帯域の光を照射して得られた光の透過率の推移を示す。
【図２】４種の非コート紙及び４種のコート紙について、波長７８０ｎｍにおける光の透過率と、波長１１００ｎｍにおける光の透過率との比率を示す。
【図３】本発明の実施の形態１としての画像形成装置１の構成を示す概略断面図である。
【図４】プリンター２の主制御部２４の構成を示すブロック図である。
【図５】シート判別装置３のセンサーユニット３０の構成を示す。
【図６】シート判別装置３の主制御部５０の構成を示すブロック図である。
【図７】シート判別装置３における動作を示すフローチャートである。
【図８】変形例（１）として、シート判別装置３の別のセンサーユニット３０ａの構成を示す。
【図９】変形例（２）として、シート判別装置３のさらに別のセンサーユニット３０ｂの構成を示す。
【図１０】センサーユニット３０ｂを備えたシート判別装置３の主制御部５０における動作を示すフローチャートである。図１１へ続く。
【図１１】センサーユニット３０ｂを備えたシート判別装置３の主制御部５０における動作を示すフローチャートである。図１０から続く。
【図１２】坪量が既知の４種の非コート紙及び４種のコート紙について、波長７８０ｎｍにおける光の透過率と、波長１１００ｎｍにおける光の透過率との比率を示す。
【図１３】図１２に示す４種の非コート紙について、坪量と比率との関係を示す散布図である。
【図１４】図１２に示す４種のコート紙について、坪量と比率との関係を示す散布図である。
【図１５】坪量が既知の４種の非コート紙及び４種のコート紙に、約４００ｎｍから約２０００ｎｍの間の波長帯域の光を照射して得られた光の透過率の推移を示す透過率曲線の、波長７８０ｎｍと波長１１００ｎｍとの間における傾きを示す。
【図１６】図１５に示す４種の非コート紙について、坪量と透過率曲線の傾きとの関係を示す散布図である。
【図１７】図１５に示す４種のコート紙について、坪量と透過率曲線の傾きの関係を示す散布図である。
【図１８】変形例（４）の傾きを補正するための補正テーブル２０１のデータ構造の一例を示す。
【図１９】変形例（４）の補正された傾きと坪量の関係を示すグラフである。
【図２０】変形例（４）のシート判別装置３の主制御部５０における動作を示すフローチャートである。
【図２１】（ａ）変形例（５）の近似直線までの距離を算出するための概念図である。（ｂ）近似直線までの距離と坪量の関係を示すグラフである。
【図２２】変形例（６）の閾値を補正するための補正テーブル２１１のデータ構造の一例を示す。
【図２３】変形例（６）の傾きと坪量の関係を示すグラフである。このグラフ内に、補正された閾値を示す。
【図２４】変形例（６）のシート判別装置３の主制御部５０における動作を示すフローチャートである。
【図２５】実施の形態２の画像形成装置１００の構成を示す概略断面図である。
【発明を実施するための形態】
【００２６】
１  本発明の基礎となった知見
本発明の発明者は、市販されている様々なシートに、約４００ｎｍから約２０００ｎｍの間の波長帯域の光を照射し、各シートを透過する光の透過率［％］を測定した。
【００２７】
ここで、光の透過率は、以下により定義される。
【００２８】
光の透過率＝（シートを透過した光の強度）／（シートに照射した光の強度）×１００  （式１）
測定に用いたシートは、表面にコーティング材がコーティングされている４種のコート紙及びコーティング材がコーティングされていない４種の非コート紙である。コート紙には、表面につや消しのコーティングがされているマット紙及び光沢のあるグロス紙が含まれる。また、非コート紙には、普通紙及びカラー紙が含まれる。
【００２９】
（透過率の推移）
図１（ａ）には、４種の非コート紙（サンプル１〜４と称する。）に、約４００ｎｍから約２０００ｎｍの間の波長帯域の光を照射し、各非コート紙を透過した光の透過率の波長方向の推移を表した透過率曲線３０１、３０２、３０３、３０４を示す。透過率曲線３０１、３０２、３０３、３０４は、それぞれ、非コート紙のサンプル１〜４に対応する。ここで、サンプル１、２は、普通紙であり、サンプル３、４は、カラー紙である。なお、この図において、横軸に光の波長［ｎｍ］を示し、縦軸に光の透過率［％］を示す。
【００３０】
図１（ａ）に示すように、約７６０ｎｍ未満の波長において、どの非コート紙についても、光の透過率は、波長に応じて不規則に増減している。また、約７６０ｎｍから約１４００ｎｍの間の近赤外線の波長帯域において、どの非コート紙についても、波長の増加に応じて、光の透過率は、ほぼ単調に増加している傾向を読み取ることができる。特に、波長７８０ｎｍから波長１１００ｎｍの間の波長帯域については、安定して単調に増加している、と言える。また、約１４００ｎｍを超える波長においては、どの非コート紙についても、光の透過率は、波長に応じて不規則に増減している。
【００３１】
また、波長７６０ｎｍから波長１４００ｎｍまでの間の波長帯域において、透過率曲線３０１、３０２、３０３、３０４の傾きは、ほぼ同一であるという傾向を読み取ることができる。特に、波長７８０ｎｍから波長１１００ｎｍの間の波長帯域については、その傾向が著しい。
【００３２】
次に、図１（ｂ）には、４種のコート紙（サンプル５〜８と称する。）に、約４００ｎｍから約２０００ｎｍの間の波長帯域の光を照射し、コート紙を透過した光の透過率の波長方向の推移を表した透過率曲線３０５、３０６、３０７、３０８を示す。透過率曲線３０５、３０６、３０７、３０８は、それぞれ、コート紙のサンプル５〜８に対応する。ここで、サンプル５、６は、マット紙あり、サンプル７、８は、グロス紙である。なお、この図において、横軸に光の波長［ｎｍ］を示し、縦軸に光の透過率［％］を示す。
【００３３】
図１（ｂ）に示すように、約７６０ｎｍ未満の波長において、どのコート紙についても、光の透過率は、波長に応じてほぼ単調に増加している傾向を読み取ることができる。また、約７６０ｎｍから約１４００ｎｍの間の波長帯域においても、どのコート紙についても、波長の増加に応じて、光の透過率は、ほぼ単調に増加している傾向を読み取ることができる。特に、波長７８０ｎｍから波長１１００ｎｍの間の波長帯域については、安定して単調に増加している、と言える。また、約１４００ｎｍを超える波長においては、どのコート紙についても、光の透過率は、波長に応じて不規則に増減している。
【００３４】
また、波長７６０ｎｍから波長１４００ｎｍまでの間の波長帯域において、透過率曲線３０５、３０６、３０７、３０８の傾きは、それぞれ異なるという傾向を読み取ることができる。特に、波長７８０ｎｍから波長１１００ｎｍの間の波長帯域について、透過率曲線３０６、３０５、３０８、３０７の順序で、これらの透過率曲線の傾きは、大きくなっている。
【００３５】
また、波長７８０ｎｍから波長１１００ｎｍの間の波長帯域について、図１（ｂ）に示す透過率曲線３０５、３０６、３０７、３０８の傾きは、図１（ａ）に示す透過率曲線３０１、３０２、３０３、３０４の傾きより、大きいという傾向を読み取ることができる。
【００３６】
（透過率の比率）
次に、図２には、非コート紙（上記のサンプル１〜４）及びコート紙（上記のサンプル５〜８）について、波長７８０ｎｍにおける光の第１透過率と、波長１１００ｎｍにおける光の第２透過率との比率を示す。この図において、横軸にシートのサンプル名を示し、縦軸に比率を示す。
【００３７】
ここで、比率は、以下により定義される。
【００３８】
比率＝（波長１１００ｎｍにおける光の第２透過率）／（波長７８０ｎｍにおける光の第１透過率）    （式２）
ここで、比率は、複数の光の強度の、波長方向の推移における変化の度合である、と言える。
【００３９】
図２によると、非コート紙における比率は、１．１５未満であり、コート紙における比率は、１．１５以上である。
【００４０】
従って、波長７８０ｎｍにおける光の第１透過率と、波長１１００ｎｍにおける光の第２透過率との比率を用い、その比率が、閾値、例えば、１．１５未満であれば、そのシートは、非コート紙であると決定でき、その比率が、閾値以上であれば、そのシートは、コート紙であると決定できる。
【００４１】
このように、波長７８０ｎｍにおける光の第１透過率と、波長１１００ｎｍにおける光の第２透過率との比率と閾値とを比較することにより、シートが属する種類（コート紙であるか、非コート紙であるか）を判別することができる。
【００４２】
（まとめ）
波長７８０ｎｍにおける光の第１透過率と、波長１１００ｎｍにおける光の第２透過率との比率（＝第２透過率／第１透過率）を用い、その比率が、閾値未満であれば、そのシートは、非コート紙であると決定でき、その比率が、閾値以上であれば、そのシートは、コート紙であると決定できる。こうして、シートが属する種類を判別できると期待できる。
【００４３】
また、波長７８０ｎｍから波長１１００ｎｍの間の波長帯域における透過率曲線の傾きを用い、その傾きが閾値未満であれば、そのシートは、非コート紙であると決定でき、その傾きが、閾値以上であれば、そのシートは、コート紙であると決定できる。こうして、シートが属する種類を判別できると期待できる。
【００４４】
２  実施の形態１
本発明に係る一の実施の形態１について図面を参照しながら説明する。
【００４５】
２．１  画像形成装置１の構成
図３は、画像形成装置１の概略構成を示す図である。
【００４６】
画像形成装置１は、この図に示すように、シートの搬送方向、上流側から下流側に向けて、給紙装置４、シート判別装置３及びプリンター２が、この順序で連接して、構成されている。
【００４７】
給紙装置４が備える給紙カセット６０から、プリンター２による作像動作に合わせて、シートがシート判別装置３に対して給送される。給紙カセット６０から給送されたシートがシート判別装置３の内部の給送経路３９を通過する際に、そのシートが属する種類が判別される。判別されたシートが属する種類は、シート判別装置３からプリンター２に対して、通知される。シート判別装置３の給送経路３９を通過したシートは、プリンター２に対して、給送される。
【００４８】
プリンター２は、タンデム型のカラープリンターである。プリンター２の内部には、作像部２０Ｙ〜２０Ｋが鉛直方向に列設され、作像部２０Ｙ〜２０Ｋに隣接して鉛直方向に中間転写ベルト２１が配されている。プリンター２は、シート判別装置３から通知されたシートが属する種類に応じて、設定した画像形成条件に従って、画像形成を行う。
【００４９】
プリンター２が備える主制御部２４の制御により、作像部２０Ｙ〜２０Ｋのそれぞれにおいて、各感光体ドラムは、帯電ローラーにより一様に帯電され、ＬＥＤアレイにより露光を受け、感光体ドラムの表面に静電潜像が形成される。各静電潜像は、それぞれ各色の現像器により現像され、各感光体ドラムの表面にＹ〜Ｋ色のトナー像が形成され、トナー像は、中間転写ベルト２１の裏面側に配設された各１次転写ローラーの静電作用により、中間転写ベルト２１の表面上に順次転写される。
【００５０】
一方、給紙装置４及びシート判別装置３から、作像部２０Ｙ〜２０Ｋによる作像動作に合わせて、シートが給送される。給送されたシートは、２次転写ローラー２２とバックアップローラーとが中間転写ベルト２１を挟んで対向する位置（２次転写位置）へと搬送路上を搬送され、２次転写位置で、２次転写ローラー２２の静電的作用により、中間転写ベルト２１上のＹ〜Ｋ色のトナー像がシートへ２次転写される。Ｙ〜Ｋ色のトナー像が２次転写されたシートは、さらに定着部２３まで搬送される。
【００５１】
シートの表面のトナー像は、定着部２３の加熱ローラーとこれに圧接された加圧ローラーとの間に形成される定着ニップを通過する際に加熱、加圧により、シートの表面に融着して定着され、シートは、定着部２３を通過した後、排紙トレイへと送出される。
【００５２】
２．２  主制御部２４
主制御部２４の構成について説明する。
【００５３】
図４は、主制御部２４の構成を示すブロック図である。
【００５４】
主制御部２４は、この図に示すように、ＲＡＭ４１、ＲＯＭ４２、ＣＰＵ４３、ネットワーク接続部４４、プリンター制御部４５、画像メモリ４６及び入出力部４８などから構成されている。
【００５５】
主制御部２４は、外部の装置からネットワーク接続部４４を介して、プリントジョブを受け付けた場合、プリンター制御部４５に対して、プリント処理を行うように指示する。
【００５６】
プリンター制御部４５は、給紙装置４からのシートの給送動作や作像部２０Ｙ〜２０Ｋの作像動作などを統一的に制御し、画像形成動作を実行させる。プリンター制御部４５は、内部にＣＰＵやＲＯＭを備えており、ＲＯＭに格納された制御プログラムに基づき、それぞれの制御を実行する。また、プリンター制御部４５は、シート判別装置３から、入出力部４８を介して、シート判別装置３を通過したシートが属する種類の通知を受け取る。シートが属する種類の通知を受け取ると、プリンター制御部４５は、受け取ったシートが属する種類に応じて、画像形成条件を設定し、設定した画像形成条件により、作像部２０Ｙ〜２０Ｋの作像動作などを制御して、画像形成動作を実行させる。
【００５７】
ＲＡＭ４１は、各種の制御変数などを一時記憶すると共に、ＣＰＵ４３によるプログラム実行時のワークエリアを提供する。
【００５８】
ＲＯＭ４２には、プリントジョブなどの各種ジョブを実行させるための制御プログラムなどが格納されている。
【００５９】
ネットワーク接続部４４は、ＬＡＮなどのネットワークを介してＰＣ（パーソナルコンピューター）などの外部端末装置からのプリントジョブを受け付ける。
【００６０】
ＣＰＵ４３は、ＲＯＭ４２に記憶されている制御プログラムに従って動作することにより、ネットワーク接続部４４、プリンター制御部４５等を制御する。例えば、ＣＰＵ４３は、制御プログラムに従って動作することにより、ネットワーク接続部４４によりプリントジョブが受け付けられると、プリンター制御部４５に指示して、そのプリントジョブのデータに基づき、画像形成動作を実行させる。
【００６１】
画像メモリ４６は、プリントジョブ等の画像データを一時的に記憶する。
【００６２】
２．３  シート判別装置３
シート判別装置３は、以下に示すようにして、シートが属する種類を判別する。
【００６３】
図３に示すように、シート判別装置３の内部には、主制御部５０が設けられ、また、給紙カセット６０から給送され給送経路３９を通過するシートＳを挟むように、センサーユニット３０が設けられている。
【００６４】
（１）センサーユニット３０
センサーユニット３０には、図５に示すように、給送経路３９を通過するシートＳの表面（プリンター２によりトナー像が形成される面）に向けて、シートＳの表面に対してほぼ垂直に、波長７８０ｎｍの光を照射する発光素子３１（発光手段）及び波長１１００ｎｍの光を照射する発光素子３２（発光手段）と、発光素子３１及び発光素子３２から照射され、シートＳを透過した透過光を受光する受光素子３３（受光手段）とが設けられている。
【００６５】
発光素子は、一例として、発光ダイオード（light emitting diode）等であり、受光素子は、一例として、フォトトランジスター（Phototransistor）、フォトダイオード（Photodiode）等である。
【００６６】
また、センサーユニット３０には、図示していない駆動回路が設けられている。駆動回路は、主制御部５０から、シートＳが通過するタイミングに合わせて、発光素子毎に発光のタイミングと発光時間の指定を受け、指定されたタイミングにおいて、指定された発光時間だけ、発光素子３１及び発光素子３２が発光するように、発光素子３１及び発光素子３２を制御する。
【００６７】
発光素子３１及び発光素子３２は、駆動回路の制御の元に、主制御部５０から指定されたタイミングにおいて、指定された発光時間だけ発光する。
【００６８】
また、受光素子３３が、発光素子３１又は発光素子３２の発光により、シートＳを透過した透過光を受光すると、駆動回路は、受光素子３３から、受光した透過光の強度を示す信号を受信する。駆動回路は、受信した信号を増幅及びデジタル変換して、変換後の信号を主制御部５０に対して、出力する。
【００６９】
（２）主制御部５０
主制御部５０は、図６に示すように、制御部５１、判断部（判別手段）５２、演算部（算出手段）５３、記憶部５４、接続部５５及び入出力部５６から構成されている。主制御部５０は、具体的には、ＲＡＭ、ＲＯＭ、ＣＰＵなどから構成されるコンピューターシステムである。
【００７０】
制御部５１、判断部５２及び演算部５３は、ＲＯＭに記憶されている制御プログラムに従って、ＣＰＵが動作することにより、それらの機能を達成する。
【００７１】
（記憶部５４）
記憶部５４は、例えば、不揮発性の半導体メモリから構成されている。
【００７２】
記憶部５４は、第１閾値を記憶している。第１閾値は、波長７８０ｎｍにおける光の第１透過率と、波長１１００ｎｍにおける光の第２透過率との比率とを対比するために用いられる。
【００７３】
その比率が、第１閾値未満（所定の範囲外）であれば、そのシートは、非コート紙であると決定され、その比率が、第１閾値以上（所定の範囲内）であれば、そのシートは、コート紙であると決定される。
【００７４】
第１閾値は、一例として、１．１５である。
【００７５】
（制御部５１）
制御部５１は、入出力部５６及びセンサーユニット３０の駆動回路を介して、発光素子３１及び３２に対して、指定したタイミング及び指定した発光時間により発光させる。制御部５１は、最初に、発光素子３１に発光をさせ、発光素子３１の発光時間が経過した後に、発光素子３２に発光させるように、タイミングを指定する。発光素子３１及び３２に対して、指定する発光時間は、一例として、１０ｍ秒である。
【００７６】
制御部５１は、受光素子３３から、センサーユニット３０の駆動回路及び入出力部５６を介して、透過光の強度を示す第１信号を受け取り、続いて、透過光の強度を示す第２信号を受け取る。最初に受け取った第１信号が発光素子３１の発光による透過光の強度を示す信号であり、続いて受け取った第２信号が発光素子３２の発光による透過光の強度を示す信号である。制御部５１は、受け取った第１信号及び第２信号を演算部５３に対して出力する。
【００７７】
判断部５２により、比率が第１閾値より小さいと判断される場合、制御部５１は、シートが属する種類を「Ａ」（非コート紙）と設定する。判断部５２により、比率が第１閾値と等しい場合又は比率が第１閾値より大きいと判断される場合、制御部５１は、シートが属する種類を「Ｂ」（コート紙）と設定する。
【００７８】
制御部５１は、設定したシートが属する種類を、接続部５５及び入出力部４８を介して、プリンター制御部４５に対して通知する。
【００７９】
（演算部５３）
演算部５３は、制御部５１から受光した光の強度を示す第１信号を受信し、受信した第１信号により、第１透過率を算出する。
【００８０】
また、演算部５３は、制御部５１から受光した光の強度を示す第２信号を受信し、受信した第２信号により、第２透過率を算出する。
【００８１】
演算部５３は、次の式により、比率を算出する。
【００８２】
比率＝第２透過率／第１透過率            （式３）
演算部５３は、算出した比率を判断部５２に対して出力する。
【００８３】
（判断部５２）
判断部５２は、演算部５３から算出された比率を受け取り、受け取った比率と第１閾値とを比較する。これにより、判断部５２は、シートが第１の種類（コート紙）に属するか、第２の種類（非コート紙）に属するかを判別する。判断部５２は、比較の結果を制御部５１に対して出力する。
【００８４】
（接続部５５）
接続部５５は、制御部５１と、プリンター２の入出力部４８との間で、シートが属する種類等の制御情報の送受信を中継する。
【００８５】
（入出力部５６）
入出力部５６は、制御部５１及び演算部５３と、センサーユニット３０の駆動回路との間で、発光タイミング、発光時間等の制御情報及び信号の送受信を中継する。
【００８６】
２．４  シート判別装置３による動作
シート判別装置３による動作について、図７に示すフローチャートを用いて、説明する。
【００８７】
発光素子３１は、制御部５１の制御により、制御部５１から指定されたタイミングにおいて、指定された発光時間だけ、波長７８０ｎｍの光を照射する（ステップＳ１０１）。次に、受光素子３３は、発光素子３１により照射され、シートＳを透過した光を受光し、受光した光の強度を示す第１信号を入出力部５６を介して、制御部５１に対して出力する（ステップＳ１０２）。
【００８８】
演算部５３は、制御部５１から受光した光の強度を示す第１信号を受信し、受信した第１信号により、第１透過率を算出する（ステップＳ１０３）。
【００８９】
次に、発光素子３２は、制御部５１の制御により、制御部５１から指定されたタイミングにおいて、指定された発光時間だけ、波長１１００ｎｍの光を照射する（ステップＳ１０４）。次に、受光素子３３は、発光素子３２により照射され、シートＳを透過した光を受光し、受光した光の強度を示す第２信号を入出力部５６を介して、制御部５１に対して出力する（ステップＳ１０５）。
【００９０】
演算部５３は、制御部５１から受光した光の強度を示す第２信号を受信し、受信した第２信号により、第２透過率を算出する（ステップＳ１０６）。
【００９１】
次に、演算部５３は、比率（＝第２透過率／第１透過率）を算出し、算出した比率を判断部５２に対して出力する（ステップＳ１０７）。
【００９２】
次に、判断部５２は、演算部５３から算出された比率を受け取り、受け取った比率と第１閾値とを比較する（ステップＳ１０８）。比率が第１閾値より小さい場合（ステップＳ１０８で「＜」）、制御部５１は、シートが属する種類を「Ａ」（非コート紙）と設定する（ステップＳ１０９）。比率が第１閾値と等しい場合又は比率が第１閾値より大きい場合（ステップＳ１０８で「≧」）、制御部５１は、シートが属する種類を「Ｂ」（コート紙）と設定する（ステップＳ１１０）。
【００９３】
次に、制御部５１は、設定したシートが属する種類を、接続部５５及び入出力部４８を介して、プリンター制御部４５に対して通知する（ステップＳ１１１）。
【００９４】
２．５  まとめ
以上説明したように、発光素子３１は、波長７８０ｎｍの光を照射し、受光素子３３は、シートＳを透過した光の強度を示す第１信号を出力する。演算部５３は、受信した第１信号により、第１透過率を算出する。また、発光素子３２は、波長１１００ｎｍの光を照射し、受光素子３３は、シートＳを透過した光の強度を示す第２信号を出力する。演算部５３は、受信した第２信号により、第２透過率を算出する。
【００９５】
演算部５３は、比率（＝第２透過率／第１透過率）を算出し、判断部５２は、算出された比率と第１閾値とを比較する。比率が第１閾値より小さい場合、制御部５１は、シートが属する種類を「Ａ」（非コート紙）と設定する。比率が第１閾値と等しい場合又は比率が第１閾値より大きい場合、制御部５１は、シートが属する種類を「Ｂ」（コート紙）と設定する。
【００９６】
次に、制御部５１は、設定したシートが属する種類を、接続部５５及び入出力部４８を介して、プリンター制御部４５に対して通知する。プリンター制御部４５は、通知されたシートが属する種類により、画像形成条件を設定して画像形成を行う。
【００９７】
こうして、シートが属する種類を判別し、シートが属する種類に従って、画像形成条件を設定して画像形成を行うことができる。
【００９８】
３  変形例（１）
上記の実施の形態１の変形例（１）としての画像形成装置は、一部を除いて、実施の形態１の画像形成装置１と同じ構成を有している。ここでは、変形例（１）としての画像形成装置について、上記の実施の形態１との相違点を中心として、説明する。
【００９９】
変形例（１）としての画像形成装置は、シート判別装置３のセンサーユニット３０に代えて、図８に示すセンサーユニット３０ａを備えている。
【０１００】
センサーユニット３０ａは、センサーユニット３０と同様に、発光素子３１（発光手段）及び発光素子３２（発光手段）を備えている。
【０１０１】
また、センサーユニット３０ａは、センサーユニット３０が備える受光素子３３に代えて、受光素子３４（受光手段）及び受光素子３５（受光手段）を備えている。受光素子３４は、発光素子３１により照射され、シートを透過した透過光を受光し、駆動回路を介して、受光した光の強度を示す第１信号を制御部５１に対して出力する。また、受光素子３５は、発光素子３２により照射され、シートを透過した透過光を受光し、駆動回路を介して、受光した光の強度を示す第２信号を制御部５１に対して出力する。
【０１０２】
ここで、制御部５１は、発光素子３１と発光素子３２とを異なるタイミングで発光させてもよいし、同じタイミングで発光させてもよい。
【０１０３】
この構成によると、発光素子３１と発光素子３２とを異なるタイミングで発光させてもよいし、同じタイミングで発光させてもよいので、実施の形態１の場合と比較して、制御部５１による制御が容易になるという利点がある。
【０１０４】
４  変形例（２）
上記の実施の形態１の変形例（２）としての画像形成装置は、一部を除いて、実施の形態１の画像形成装置１と同じ構成を有している。ここでは、変形例（２）としての画像形成装置について、上記の実施の形態１との相違点を中心として、説明する。
【０１０５】
変形例（２）としての画像形成装置は、シート判別装置３のセンサーユニット３０に代えて、図９に示すセンサーユニット３０ｂを備えている。また、変形例（２）としての画像形成装置は、上記の実施の形態１のシート判別装置３が備える主制御部５０（図６）と同じ構成の主制御部５０を備えている。
【０１０６】
４．１  センサーユニット３０ｂ
センサーユニット３０ｂは、センサーユニット３０と同様に、発光素子３１（発光手段）及び発光素子３２（発光手段）を備えている。
【０１０７】
また、センサーユニット３０ｂは、センサーユニット３０が備える受光素子３３に代えて、受光素子３４（受光手段）及び受光素子３５（受光手段）を備えている。受光素子３４は、発光素子３１により照射され、シートを透過した透過光を受光し、駆動回路を介して、受光した光の強度を示す第１信号を制御部５１に対して出力する。また、受光素子３５は、発光素子３２により照射され、シートを透過した透過光を受光し、駆動回路を介して、受光した光の強度を示す第２信号を制御部５１に対して出力する。
【０１０８】
さらに、センサーユニット３０ｂは、光沢度検出手段として、発光素子３６、光学素子３７及び受光素子３８を備えている。
【０１０９】
発光素子３６は、給送経路３９を通過するシートＳの表面に向けて、シートＳの表面に対して角度Ａをなして、波長１１００ｎｍの光を照射する。角度Ａは、一例として、７５°である。
【０１１０】
光学素子３７は、発光素子３６から照射され、シートＳの表面において、シートＳの表面に対して垂直方向に反射する光が通過する光路上に配されている。光学素子３７は、シートＳの表面において、反射する光を集光し、集光した光を受光素子３８に対して照射する。
【０１１１】
受光素子３８は、シートＳの表面において、反射し、光学素子３７により集光された光を受光し、駆動回路を介して、受光した光の強度を示す第３信号を制御部５１に対して出力する。
【０１１２】
４．２  主制御部５０
主制御部５０の制御部５１、判断部５２、演算部５３、記憶部５４について、実施の形態１との相違点を中心として説明する（図６を参照）。
【０１１３】
（記憶部５４）
記憶部５４は、さらに、第２閾値を記憶している。
【０１１４】
第２閾値は、後述する正反射率と対比するために用いられる。
【０１１５】
（制御部５１）
制御部５１は、入出力部５６及びセンサーユニット３０の駆動回路を介して、発光素子３６に対して、指定したタイミング及び指定した発光時間により発光させる。発光素子３６に対して、指定する発光時間は、一例として、１０ｍ秒である。
【０１１６】
制御部５１は、最初に、発光素子３６に発光をさせ、発光素子３６の発光時間が経過した後に、発光素子３１と発光素子３２とに異なるタイミングで発光させてもよいし、発光素子３１と発光素子３２とに同じタイミングで発光させてもよい。また、制御部５１は、発光素子３６、発光素子３１及び発光素子３２に同じタイミングで発光させてもよい。
【０１１７】
制御部５１は、受光素子３８から、駆動回路及び入出力部５６を介して、正反射光の強度を示す第３信号を受け取る。制御部５１は、受け取った第３信号を演算部５３に対して出力する。
【０１１８】
制御部５１は、比率が第１閾値より小さく、正反射率が第２閾値より小さい場合、シートが属する種類を「１」（光沢のない普通紙）と設定する。
【０１１９】
制御部５１は、比率が第１閾値より小さく、正反射率が第２閾値と等しい又は正反射率が第２閾値より大きい場合、シートが属する種類を「２」（光沢のある上質紙）と設定する。
【０１２０】
制御部５１は、比率が第１閾値と等しく又は比率が第１閾値より大きく、正反射率が第２閾値より小さい場合、シートが属する種類を「３」（マット紙）と設定する。
【０１２１】
制御部５１は、比率が第１閾値と等しく又は比率が第１閾値より大きく、正反射率が第２閾値と等しく又は正反射率が第２閾値より大きい場合、シートが属する種類を「４」（グロス紙）と設定する。
【０１２２】
制御部５１は、設定したシートが属する種類を、接続部５５及び入出力部４８を介して、プリンター制御部４５に対して通知する。
【０１２３】
（演算部５３）
演算部５３は、制御部５１から受光した光の強度を示す第３信号を受信し、以下の式により、受信した第３信号から正反射率を算出する。
【０１２４】
正反射率＝（シートで反射した光の強度、つまり、第３信号）／（シートに照射した光の強度）×１００    （式４）
（判断部５２）
判断部５２は、演算部５３から算出された正反射率を受け取り、受け取った正反射率と第２閾値とを比較する。判断部５２は、比較結果を制御部５１に対して出力する。
【０１２５】
４．３  変形例（２）のシート判別装置３による動作
変形例（２）のシート判別装置３による動作について、図１０及び図１１に示すフローチャートを用いて、説明する。
【０１２６】
発光素子３１は、制御部５１の制御により、制御部５１から指定されたタイミングにおいて、指定された発光時間だけ、波長７８０ｎｍの光を照射する（ステップＳ１３１）。次に、受光素子３４は、発光素子３１により照射され、シートＳを透過した光を受光し、駆動回路は、受光した光の強度を示す第１信号を入出力部５６を介して、制御部５１に対して出力する（ステップＳ１３２）。
【０１２７】
演算部５３は、制御部５１から受光した光の強度を示す第１信号を受信し、受信した第１信号により、第１透過率を算出する（ステップＳ１３３）。
【０１２８】
次に、発光素子３２は、制御部５１の制御により、制御部５１から指定されたタイミングにおいて、指定された発光時間だけ、波長１１００ｎｍの光を照射する（ステップＳ１３４）。次に、受光素子３５は、発光素子３２により照射され、シートＳを透過した光を受光し、駆動回路は、受光した光の強度を示す第２信号を入出力部５６を介して、制御部５１に対して出力する（ステップＳ１３５）。
【０１２９】
演算部５３は、制御部５１から受光した光の強度を示す第２信号を受信し、受信した第２信号により、第２透過率を算出する（ステップＳ１３６）。
【０１３０】
次に、発光素子３６は、制御部５１の制御により、制御部５１から指定されたタイミングにおいて、指定された発光時間だけ、波長１１００ｎｍの光を照射する（ステップＳ１３７）。次に、受光素子３８は、発光素子３６により照射され、シートＳの表面で反射した光を受光し、駆動回路は、受光した光の強度を示す第３信号を入出力部５６を介して、制御部５１に対して出力する（ステップＳ１３８）。
【０１３１】
演算部５３は、制御部５１から受光した光の強度を示す第３信号を受信し、受信した第３信号により、正反射率を算出する（ステップＳ１３９）。
【０１３２】
次に、演算部５３は、比率（＝第２透過率／第１透過率）を算出し、算出した比率を判断部５２に対して出力する（ステップＳ１４０）。
【０１３３】
次に、判断部５２は、演算部５３から算出された比率を受け取り、受け取った比率と第１閾値とを比較する（ステップＳ１４１）。比率が第１閾値より小さい場合（ステップＳ１４１で「＜」）、判断部５２は、演算部５３から算出された正反射率を受け取り、受け取った正反射率と第２閾値とを比較する（ステップＳ１４２）。正反射率が第２閾値より小さい場合（ステップＳ１４２で「＜」）、制御部５１は、シートが属する種類を「１」（光沢のない普通紙）と設定する（ステップＳ１４４）。正反射率が第２閾値と等しい場合又は正反射率が第２閾値より大きい場合（ステップＳ１４２で「≧」）、制御部５１は、シートが属する種類を「２」（光沢のある上質紙）と設定する（ステップＳ１４５）。
【０１３４】
比率が第１閾値と等しい場合又は比率が第１閾値より大きい場合（ステップＳ１４１で「≧」）、判断部５２は、演算部５３から算出された正反射率を受け取り、受け取った正反射率と第２閾値とを比較する（ステップＳ１４３）。正反射率が第２閾値より小さい場合（ステップＳ１４３で「＜」）、制御部５１は、シートが属する種類を「３」（マット紙）と設定する（ステップＳ１４６）。正反射率が第２閾値と等しい場合又は正反射率が第２閾値より大きい場合（ステップＳ１４３で「≧」）、制御部５１は、シートが属する種類を「４」（グロス紙）と設定する（ステップＳ１４７）。
【０１３５】
次に、制御部５１は、設定したシートが属する種類を、接続部５５及び入出力部４８を介して、プリンター制御部４５に対して通知する（ステップＳ１４８）。
【０１３６】
４．４  まとめ
以上説明したように、比率（＝第２透過率／第１透過率）と第１閾値との比較に加えて、正反射率と第２閾値との比較をすることにより、光沢のあるシートの光沢のないシートを判別することができる。
【０１３７】
この結果、光沢のない普通紙、光沢のある上質紙、マット紙（光沢のないコート紙）及びグロス紙（光沢のあるコート紙）を判別することができる。
【０１３８】
なお、発光素子３６は、波長１１００ｎｍの光を照射している。しかし、この波長１１００ｎｍは、一例であって、他の波長を用いるとしてもよい。
【０１３９】
５  変形例（３）
上記の実施の形態１の変形例（３）としての画像形成装置は、一部を除いて、実施の形態１の画像形成装置１と同じ構成を有している。ここでは、上記の実施の形態１との相違点を中心として、説明する。
【０１４０】
上記の実施の形態１及び変形例（１）〜（２）においては、第１透過率と第２透過率との比率（第２透過率／第１透過率）を算出し、算出した比率と第１閾値とを比較することにより、コート紙か非コート紙かを判別している。
【０１４１】
しかし、この方法には、限定されない。算出した比率と第１閾値とを比較することにより、コート紙か非コート紙かを判別することに代えて、次のようにしてもよい。
【０１４２】
「１  本発明の基礎となった知見」の欄に述べ、図１（ａ）及び（ｂ）に示すように、非コート紙においては、波長７８０ｎｍから波長１１００ｎｍの間の波長帯域における透過率曲線の傾きは、どの非コート紙においても、ほぼ一定である。一方で、コート紙においては、波長７８０ｎｍから波長１１００ｎｍの間の波長帯域における透過率曲線の傾きは、どのコート紙においても、非コート紙における透過率曲線の傾きより、大きい。変形例（３）では、この特性を利用する。
【０１４３】
変形例（３）としての画像形成装置は、上記の実施の形態１のシート判別装置３が備える主制御部５０（図６）と同じ構成の主制御部５０を備えている。
【０１４４】
演算部５３は、次式により、波長７８０ｎｍから波長１１００ｎｍの間の波長帯域における透過率曲線の傾きを算出する。
【０１４５】
傾き＝（第２透過率−第１透過率）／（第２波長（１１００）−第１波長（７８０））
（式５）
ここで、第１波長は、波長７８０ｎｍであり、第２波長は、波長１１００ｎｍである。また、第１透過率は、第１波長における光の透過率であり、第２透過率は、第２波長における光の透過率である。
【０１４６】
なお、波長７８０ｎｍから波長１１００ｎｍの間の波長帯域における透過率曲線の傾きは、複数の光の強度の、波長方向の推移における変化の度合である、と言える。
【０１４７】
次に、判断部５２は、算出された傾きと第３閾値とを比較する。判断部５２は、算出された傾きが第３閾値より大きい、又は、算出された傾きが第３閾値と等しい場合、コート紙と判断する。一方、判断部５２は、算出された傾きが第３閾値より小さい場合、非コート紙と判断する。
【０１４８】
ここで、第３閾値を、非コート紙における、波長７８０ｎｍから波長１１００ｎｍの間の波長帯域における透過率曲線の傾きより、やや大きい、例えば、１パーセント大きい値とする。
【０１４９】
制御部５１は、傾きが第３閾値より小さい場合、制御部５１は、シートが属する種類を「Ａ」（非コート紙）と設定する。傾きが第３閾値と等しい場合又は傾きが第３閾値より大きい場合、制御部５１は、シートが属する種類を「Ｂ」（コート紙）と設定する。制御部５１は、設定したシートが属する種類を、接続部５５及び入出力部４８を介して、プリンター制御部４５に対して通知する。
【０１５０】
このように、変形例（３）においても、実施の形態１及び変形例（１）〜（２）と同様に、コート紙と非コート紙とを判別することができる。
【０１５１】
６  変形例（４）
上記の変形例（３）のさらなる変形例（４）としての画像形成装置は、一部を除いて、変形例（３）の画像形成装置１と同じ構成を有している。ここでは、上記の変形例（３）との相違点を中心として、説明する。
【０１５２】
上記の変形例（３）においては、波長７８０ｎｍから波長１１００ｎｍの間の波長帯域における透過率曲線の傾きを算出し、算出した傾きと第３閾値とを比較することにより、コート紙か非コート紙かを判別している。
【０１５３】
変形例（４）では、以下に示すようにして、コート紙か非コート紙かを判別する。
【０１５４】
本発明の発明者は、上記の「１  本発明の基礎となった知見」の記載に加えて、坪量が既知の様々なシートに、約４００ｎｍから約２０００ｎｍの間の波長帯域の光を照射し、各シートを透過する光の透過率［％］を測定した。
【０１５５】
（シートが属する種類と坪量との関係）
図１２には、坪量が既知の非コート紙（上記のサンプル１、２及びサンプル９、１０）及びコート紙（サンプル１１〜１４）について、波長７８０ｎｍにおける光の第１透過率と、波長１１００ｎｍにおける光の第２透過率との比率（＝第２透過率／第１透過率）を示す。この図において、横軸にシートのサンプル名を示し、縦軸に比率を示す。
【０１５６】
サンプル９、２、１、１０、１１〜１４の坪量は、一例として、６４、８８、９０、２１０、２０９、１７４、１２８、７９［ｇ／ｍ2 ］である。
【０１５７】
図１３は、図１２に示す４種の非コート紙（サンプル９、２、１、１０）のそれぞれの坪量及び比率について、坪量に応じた横軸方向の位置と、比率に応じた縦軸方向の位置とが交差する点をプロットして示す散布図である。また、図１４は、図１２に示す４種のコート紙（サンプル１１〜１４）のそれぞれの坪量及び比率について、坪量に応じた横軸方向の位置と、比率に応じた縦軸方向の位置とが交差する点をプロットして示す散布図である。図１３及び図１４において、横軸に坪量［ｇ／ｍ2 ］を示し、縦軸に比率を示す。
【０１５８】
図１３によると、非コート紙については、坪量と比率との間にどのような関係が存在するか、明確ではない。
【０１５９】
一方、図１４によると、コート紙について、坪量の小さいシートほど、比率が大きくなっている。プロットされた４点は、一つの近似直線３８１に近接して並んでおり、コート紙については、坪量と比率との間には、強い負の相関関係（線型の関係）があると推定される。
【０１６０】
また、図１５には、坪量が既知の非コート紙（サンプル９、２、１、１０）及びコート紙（サンプル１１〜１４）について、波長７８０ｎｍから波長１１００ｎｍの間の波長帯域における透過率曲線の傾きを示す。この図において、横軸にシートのサンプル名を示し、縦軸に傾きを示す。
【０１６１】
ここで、波長７８０ｎｍから波長１１００ｎｍの間の波長帯域における透過率曲線の傾きは、上述したように、次の式により定義される。
【０１６２】
傾き＝（第２透過率−第１透過率）／（第２波長−第１波長）        （式６）
図１６は、図１５に示す４種の非コート紙（サンプル９、２、１、１０）のそれぞれの坪量及び波長７８０ｎｍから波長１１００ｎｍの間の波長帯域における透過率曲線の傾きについて、坪量に応じた横軸方向の位置と、傾きに応じた縦軸方向の位置とが交差する点をプロットして示す散布図である。また、図１７は、図１５に示す４種のコート紙（サンプル１１〜１４）のそれぞれの坪量及び波長７８０ｎｍから波長１１００ｎｍの間の波長帯域における透過率曲線の傾きについて、坪量に応じた横軸方向の位置と、傾きに応じた縦軸方向の位置とが交差する点をプロットして示す散布図である。なお、図１６及び図１７において、横軸にシートの坪量［ｇ／ｍ2 ］を示し、縦軸に傾きを示す。
【０１６３】
図１６によると、非コート紙については、坪量と透過率曲線の傾きとの間にどのような関係が存在するか、明確ではない。
【０１６４】
一方、図１７によると、コート紙について、坪量の小さいシートほど、透過率曲線の傾きが大きくなっている。プロットされた４点は、一つの近似直線３９１に近接して並んでおり、コート紙については、坪量と透過率曲線の傾きとの間には、強い負の相関関係（線型の関係）があると推定される。
【０１６５】
以上説明したように、コート紙については、シートの坪量の増加に応じて、波長７８０ｎｍから波長１１００ｎｍの間の波長帯域における透過率曲線の傾きが減少する傾向にあり、透過率曲線の傾きが、坪量に依存していると推定される。このため、シートの坪量を検出し、検出した坪量に応じて、透過率曲線の傾きを補正することにより（変形例（４））、又は、検出した坪量に応じて、上記の閾値を補正することにより（後述する変形例（６））、シートが属する種類を判別できると期待できる。
【０１６６】
変形例（４）では、図１８に示す補正テーブル２０１を用いて、算出した透過率曲線の傾きを補正し、補正された傾きを用いて、コート紙か非コート紙かを判別する。
【０１６７】
変形例（４）としての画像形成装置は、上記の実施の形態１のシート判別装置３が備える主制御部５０（図６）と同じ構成の主制御部５０を備えている。
【０１６８】
記憶部５４には、図１８に示す補正テーブル２０１が予め記憶されている。
【０１６９】
補正テーブル２０１は、この図に示すように、シートの坪量［ｇ／ｍ2 ］の範囲と係数αとの組を複数個含んでいる。補正テーブル２０１では、シートの坪量が大きくなるほど、係数αが大きくなるように設定されている。
【０１７０】
例えば、坪量の範囲が０ｇ／ｍ2 以上、５０ｇ／ｍ2 未満の場合には、係数αは、０．２であり、坪量の範囲が５０ｇ／ｍ2 以上、１００ｇ／ｍ2 未満の場合には、係数αは、０．５であり、坪量の範囲が１００ｇ／ｍ2 以上、１５０ｇ／ｍ2 未満の場合には、係数αは、１．０であり、坪量の範囲が１５０ｇ／ｍ2 以上、２００ｇ／ｍ2 未満の場合には、係数αは、２．０であり、坪量の範囲が２００ｇ／ｍ2 以上、２５０ｇ／ｍ2 未満の場合には、係数αは、２．５である。なお、補正テーブル２０１に示すシートの坪量の範囲と係数αとの関係は、一例に過ぎず、これには限定されない。
【０１７１】
それぞれ坪量が既知である、図１５に示すサンプル９、２、１、１０（非コート紙）及びサンプル１１〜１４（コート紙）における傾きを、補正テーブル２０１を用いて、補正する。図１９は、それぞれのサンプルの坪量及び補正された傾きについて、坪量に応じた横軸方向の位置と、補正された傾きに応じた縦軸方向の位置とが交差する点をプロットして示す散布図である。なお、この図では、横軸に坪量を示し、縦軸に補正された傾きを示す。
【０１７２】
この図に示すように、コート紙であるサンプル１１〜１４についてプロットした各点は、横軸に平行する直線５０１の近辺に集中している。これに対して、非コート紙であるサンプル９、２、１、１０についてプロットした各点は、直線５０１から離れて、散在している。
【０１７３】
このように、補正テーブル２０１を用いて、算出した傾きを補正することにより、コート紙についてプロットした各点は、横軸に平行する直線の近辺に集中し、これに対して、非コート紙についてプロットした各点は、当該直線から離れて、散在する。この特性を用いれば、コート紙と非コート紙とを判別することができる。
【０１７４】
ここで、図１６に示す点３９２、３９３、３９４及び図１７に示す点３９６は、それぞれ、補正された図１９に示す点５６１、５６２、５６３及び点５６４に対応している。
【０１７５】
例えば、図１６に示す点３９２、３９３、３９４及び図１７に示す点３９６における傾きは、近接しているので、補正されない傾きを用いた場合には、これらの点３９２、３９３、３９４及び点３９６について、コート紙か非コート紙かを判別することは、困難である。一方で、補正された傾きを用いると、図１９に示す点５６１、５６２、５６３（点３９２、３９３、３９４に対応）における傾きは、直線５０１から離れており、一方で、点５６４（点３９６に対応）における傾きは、直線５０１に近接している。このため、これらの点について、コート紙か非コート紙かを判別することが可能となる。
【０１７６】
変形例（４）における、シートが属する種類を判別する手順について、図２０に示すフローチャートを用いて、説明する。
【０１７７】
演算部５３は、波長７８０ｎｍから波長１１００ｎｍの間の波長帯域における透過率曲線の傾きを算出する（ステップＳ２０１）。傾きの算出方法については、変形例（３）において説明した通りである。
【０１７８】
演算部５３は、シートの坪量［ｇ／ｍ2 ］を求める。シートの坪量と透過率との間には、坪量が大きくなるほど、透過率は、小さくなるという、強い負の相関関係があると考えられる。このため、予め、複数のシートの坪量と、それぞれのシートの、例えば、波長７８０ｎｍにおける透過率とを対応付けて記憶しておき、この対応付けを用いて、算出した波長７８０ｎｍにおける透過率により、シートの坪量を予測して算出する（ステップＳ２０２）。
【０１７９】
制御部５１は、算出した坪量含む坪量の範囲を、補正テーブル２０１から検索し、検索して得られた坪量の範囲に対応する係数αを補正テーブル２０１から求める（ステップＳ２０３）。
【０１８０】
演算部５３は、次式により、ステップＳ２０１で算出した傾きに、ステップＳ２０３で求めた係数αを乗じて、補正された傾きを算出する。
【０１８１】
補正された傾き＝傾き×係数α        （式７）  （ステップＳ２０４）
判断部５２は、補正された傾きが、第４閾値の近傍、つまり、第４閾値から所定の範囲内（例えば、第４閾値の＋３パーセントから−３パーセントの範囲内）にあるか否かを判断する（ステップＳ２０５）。
【０１８２】
判断部５２は、補正された傾きが、第４閾値から所定の範囲内にあれば（ステップＳ２０５で「範囲内」）、コート紙であると判断する。一方で、判断部５２は、補正された傾きが、第４閾値から所定の範囲内になければ（ステップＳ２０５で「範囲外」）、非コート紙であると判断する。
【０１８３】
制御部５１は、第４閾値から所定の範囲内にあれば（ステップＳ２０５で「範囲内」）、シートが属する種類を「Ｂ」（コート紙）と設定する（ステップＳ２０７）。第４閾値から所定の範囲外にあれば（ステップＳ２０５で「範囲外」）、制御部５１は、シートが属する種類を「Ａ」（非コート紙）と設定する（ステップＳ２０６）。制御部５１は、設定したシートが属する種類を、接続部５５及び入出力部４８を介して、プリンター制御部４５に対して通知する（ステップＳ２０８）。
【０１８４】
このように、変形例（４）においては、波長７８０ｎｍから波長１１００ｎｍの間の波長帯域における透過率曲線の傾きを算出し、算出した傾きを補正テーブル２０１を用いて補正し、補正された傾きが、第４閾値から所定の範囲内に存在するか否かを判断する。これにより、コート紙であるか非コート紙であるかを判別することができる。
【０１８５】
なお、上記のように、発光素子３１により、波長７８０ｎｍの光を照射し、受光素子３３により透過光を受光し、演算部５３により、波長７８０ｎｍにおける透過率を用いて、シートの坪量を算出している。シートの坪量は、シートの厚みを表しているので、発光素子３１、受光素子３３及び演算部５３は、シートの厚みを検出する厚み検出手段を構成している、と言える。
【０１８６】
また、上記の通り、透過率を用いて、シートの坪量、つまり、シートの厚みを検出してるが、これには、限定されない。アクチュエーターにより、シートに接触することにより、シートの厚みを検出してもよい。
【０１８７】
７  変形例（５）
上記の実施の形態１の変形例（５）としての画像形成装置は、一部を除いて、実施の形態１の画像形成装置１と同じ構成を有している。ここでは、変形例（５）としての画像形成装置について、上記の実施の形態１との相違点を中心として、説明する。
【０１８８】
変形例（５）としての画像形成装置は、上記の実施の形態１のシート判別装置３が備える主制御部５０（図６）と同じ構成の主制御部５０を備えている。
【０１８９】
上記の実施の形態１においては、波長７８０ｎｍ及び波長１１００ｎｍにおける第１透過率及び第２透過率を算出し、比率（第２透過率／第１透過率）を算出し、算出した比率と第１閾値とを比較することにより、コート紙か非コート紙かを判別している。
【０１９０】
変形例（５）では、以下に示すようにして、コート紙か非コート紙かを判別する。
【０１９１】
図２１（ａ）は、それぞれ坪量が既知である、図１２に示すサンプル９、２、１、１０（非コート紙）及びサンプル１１〜１４（コート紙）のそれぞれの坪量及び比率について、坪量に応じた横軸方向の位置と、比率に応じた縦軸方向の位置とが交差する点をプロットして示す散布図である。つまり、この図は、図１３及び図１４のグラフにプロットされた点を一つのグラフとして描いたものである。ここで、図２１（ａ）では、横軸に坪量を示し、縦軸に補正された傾きを示す。
【０１９２】
この図によると、コート紙について、プロットされた４点は、一つの近似直線３８１に近接して並んでおり、コート紙については、坪量と比率との間には、強い負の相関関係（線型の関係）があると推定される。なお、例外的に、非コート紙のうちのサンプル４についてプロットされた点５１１についても、近似直線３８１に近い位置に存在する。
【０１９３】
次に、図２１（ａ）にプロットされた各点について、近似直線３８１との距離を算出し、坪量に応じた横軸方向の位置と、算出した距離に応じた縦軸方向の位置とが交差する点をプロットしたグラフを図２１（ｂ）に示す。ここで、図２１（ｂ）では、横軸に坪量を示し、縦軸に算出された距離を示す。
【０１９４】
図２１（ｂ）から分かるように、コート紙について、プロットされた４点は、一つの直線５２１（横軸に平行）に近接して並んでいる。なお、例外的に、非コート紙のうちのサンプル４についてプロットされた点５２２についても、直線５２１に近い位置に存在する。
【０１９５】
このように、各シートについて、求めた坪量と比率とをグラフ上にプロットし、プロットして得た点から、既知の直線までの距離を算出し、算出した距離が所定の範囲内（閾値の近傍、例えば、閾値の−３パーセントから＋３パーセントの範囲内）に存在するか否かを判断する。これにより、上記の通り、例外は存在するが、ほぼ、コート紙であるか否かを判別することができる。なお、上記の説明では、本発明の方法の理解を容易にするために、坪量と比率とをグラフ上にプロットしているが、実際の演算方法としては、坪量と比率とをグラフ上にプロットする必要はない。坪量と比率との座標点と、既知の近似直線３８１までの距離を算出すればよい。
【０１９６】
ここで、上記の既知の近似直線３８１については、予め、コート紙である複数のサンプルから、坪量と比率とを求めておいて、求めた坪量と比率とより、決定しておけばよい。その近似直線を定めるパラメーター、例えば、既知の近似直線の傾きとｙ切片を記憶部５４に記憶しておき、上記の距離を算出する際には、記憶部５４に記憶されている既知の近似直線を定めるパラメーターを用いればよい。
【０１９７】
８  変形例（６）
上記の変形例（３）のさらなる変形例（６）としての画像形成装置は、一部を除いて、変形例（３）の画像形成装置と同じ構成を有している。ここでは、上記の変形例（３）との相違点を中心として、説明する。
【０１９８】
上記の変形例（３）においては、波長７８０ｎｍから波長１１００ｎｍの間の波長帯域における透過率曲線の傾きを算出し、算出した傾きと第３閾値とを比較することにより、コート紙か非コート紙かを判別している。
【０１９９】
変形例（６）では、以下に示すようにして、コート紙か非コート紙かを判別する。
【０２００】
図１７に示すように、コート紙の場合、シートの坪量が増加すると、波長７８０ｎｍから波長１１００ｎｍの間の波長帯域における透過率曲線の傾きが減少する傾向にある。シートの坪量と傾きの間には、強い負の相関関係があり、この関係は、線型であるとみなすことができる。このため、この関係を用いて、図２２に示す補正テーブル２１１を用いて、閾値を補正して、算出した傾きと補正した閾値を比較して、コート紙か非コート紙かを判別する。
【０２０１】
変形例（６）としての画像形成装置は、上記の実施の形態１のシート判別装置３が備える主制御部５０（図６）と同じ構成の主制御部５０を備えている。
【０２０２】
記憶部５４には、図２２に示す補正テーブル２１１が予め記憶されている。
【０２０３】
補正テーブル２１１は、この図に示すように、シートの坪量［ｇ／ｍ2 ］の範囲と係数βとの組を複数個含んでいる。補正テーブル２１１では、シートの坪量が大きくなるほど、係数βが小さくなるように設定されている。
【０２０４】
例えば、坪量の範囲が０ｇ／ｍ2 以上、５０ｇ／ｍ2 未満の場合には、係数βは、１．８であり、坪量の範囲が５０ｇ／ｍ2 以上、１００ｇ／ｍ2 未満の場合には、係数βは、１．５であり、坪量の範囲が１００ｇ／ｍ2 以上、１５０ｇ／ｍ2 未満の場合には、係数βは、１．０であり、坪量の範囲が１５０ｇ／ｍ2 以上、２００ｇ／ｍ2 未満の場合には、係数βは、０．５であり、坪量の範囲が２００ｇ／ｍ2 以上、２５０ｇ／ｍ2 未満の場合には、係数βは、０．２である。なお、補正テーブル２１１に示すシートの坪量の範囲と係数βとの関係は、一例に過ぎず、これには限定されない。
【０２０５】
図２３には、それぞれ坪量が既知である、図１５に示すサンプル９、２、１、１０（非コート紙）及びサンプル１１〜１４（コート紙）のそれぞれの傾き及び比率について、坪量に応じた横軸方向の位置と、傾きに応じた縦軸方向の位置とが交差する点をプロットして示す。つまり、この図は、図１６及び図１７のグラフにプロットされた点を一つのグラフとして描いたものである。なお、図２３では、横軸に坪量を示し、縦軸に傾きを示す。
【０２０６】
また、図２３には、補正テーブル２１１に示す坪量の範囲毎に、閾値に係数βを乗じて、補正された閾値５４１、５４２、５４３、５４４、５４５を示す。
【０２０７】
この図に示すように、コート紙であるサンプル１１〜１４についてプロットした各点は、坪量の範囲毎に、補正された閾値５４２、５４３、５４４、５４５の近辺に集中している。これに対して、非コート紙であるサンプル９、２、１についてプロットした点５５２、５５３、５５４は、坪量の範囲毎に、補正された閾値５４１、５４２、５４３、５４４、５４５から離れて、散在している。なお、例外的に、非コート紙であるサンプル１０についてプロットした点５５１は、補正された閾値５４５に近接している。
【０２０８】
このように、補正テーブル２１１を用いて、坪量の範囲毎に閾値を補正することにより、コート紙についてプロットした各点は、閾値の近辺に集中し、これに対して、非コート紙についてプロットした各点は、閾値から離れて、散在する。この特性を用いれば、コート紙と非コート紙とを判別することができる。
【０２０９】
例えば、図２３に示す点５５２、５５３、５５４及び５５５における傾きは、近接しているので、補正されない閾値を用いた場合には、これらの点５５２、５５３、５５４及び５５５について、コート紙か非コート紙かを判別することは、困難である。一方で、補正された閾値を用いると、点５５２、５５３、５５４における傾きは、閾値５４２から離れており、点５５５における傾きは、閾値５４４に近接しているので、これらの点について、コート紙か非コート紙かを判別することが可能となる。
【０２１０】
変形例（６）における、シートが属する種類を判別する手順について、図２４に示すフローチャートを用いて、説明する。
【０２１１】
演算部５３は、波長７８０ｎｍから波長１１００ｎｍの間の波長帯域における透過率曲線の傾きを算出する（ステップＳ２２１）。傾きの算出方法については、変形例（３）において説明した通りである。
【０２１２】
演算部５３は、変形例（４）において説明したように、シートの坪量［ｇ／ｍ2 ］を、波長７８０ｎｍにおける透過率を用いて、予測して算出する（ステップＳ２２２）。
【０２１３】
制御部５１は、算出した坪量含む坪量の範囲を、補正テーブル２１１から検索し、検索して得られた坪量の範囲に対応する係数βを補正テーブル２１１から求める（ステップＳ２２３）。
【０２１４】
演算部５３は、次式により、第３閾値に、ステップＳ２２３で求めた係数βを乗じて、補正された閾値を算出する。
【０２１５】
補正された閾値＝第３閾値×係数β        （式８）  （ステップＳ２２４）
判断部５２は、算出された傾きが、補正された閾値の近傍、つまり、補正された閾値から所定の範囲内（例えば、補正された閾値の＋３パーセントから−３パーセントの範囲内）にあるか否かを判断する（ステップＳ２２５）。
【０２１６】
判断部５２は、算出された傾きが、補正された閾値から所定の範囲内にあれば（ステップＳ２２５で「範囲内」）、コート紙であると判断する。一方で、判断部５２は、補正された係数が、補正された閾値から所定の範囲内になければ（ステップＳ２２５で「範囲外」）、非コート紙であると判断する。
【０２１７】
制御部５１は、補正された閾値から所定の範囲内にあれば（ステップＳ２２５で「範囲内」）、シートが属する種類を「Ｂ」（コート紙）と設定する（ステップＳ２２７）。補正された閾値から所定の範囲外にあれば（ステップＳ２２５で「範囲外」）、制御部５１は、シートが属する種類を「Ａ」（非コート紙）と設定する（ステップＳ２２６）。制御部５１は、設定したシートが属する種類を、接続部５５及び入出力部４８を介して、プリンター制御部４５に対して通知する（ステップＳ２２８）。
【０２１８】
このように、変形例（６）においては、補正テーブルを用いて、坪量の範囲毎に、閾値を補正して、補正された閾値を算出し、算出された傾きが補正された閾値から所定の範囲内に存在するか否かを判断する。これにより、コート紙であるか非コート紙であるかを判別することができる。
【０２１９】
９  実施の形態２
本発明に係る別の実施の形態２について図面を参照しながら説明する。
【０２２０】
図２５は、実施の形態２としての画像形成装置１００の概略構成を示す図である。
【０２２１】
画像形成装置１００は、スキャナー、プリンター及びコピー機の機能を有するタンデム型のカラー複合機（ＭＦＰ：MultiFunction Peripheral）である。
【０２２２】
画像形成装置１００は、筐体枠内の最下部にシートを積載した給紙部１０３を、その上方に、主制御部１１１、作像部１１３Ｙ〜１１３Ｋ、中間転写ベルト１１２、定着部１１４等を備えたプリンター部１０２を配し、さらに、その上部には、原稿の画像を読み取り、多値のデジタル信号からなる画像データに変換するイメージリーダー部１０１を配して、構成されている。
【０２２３】
作像部１１３Ｙ〜１１３Ｋのそれぞれにおいて、各感光体ドラムは、帯電ローラーにより一様に帯電され、ＬＥＤアレイにより露光を受け、感光体ドラムの表面に静電潜像が形成される。各静電潜像は、それぞれ各色の現像器により現像され、各感光体ドラムの表面にＹ〜Ｋ色のトナー像が形成され、トナー像は、中間転写ベルト１１２の裏面側に配設された各１次転写ローラーの静電作用により、中間転写ベルト１１２の表面上に順次転写される。
【０２２４】
一方、給紙部１０３のいずれかの給紙カセットから、作像部１１３Ｙ〜１１３Ｋによる作像動作に合わせて、シートが給送される。給紙カセットから給送されたシートは、シートの給送経路に沿って設けられたセンサーユニット１３０により、その種類が判別される。その判別結果は、プリンター部１０２における画像形成の条件として用いられる。センサーユニット１３０を通過したシートは、２次転写ローラー１１５とバックアップローラーとが中間転写ベルト１１２を挟んで対向する位置（２次転写位置）へと搬送路上を搬送され、２次転写位置で、２次転写ローラー１１５の静電的作用により、中間転写ベルト１１２上のＹ〜Ｋ色のトナー像がシートへ２次転写される。Ｙ〜Ｋ色のトナー像が２次転写されたシートは、さらに定着部１１４まで搬送される。
【０２２５】
シートの表面のトナー像は、定着部１１４により、シートの表面に融着して定着され、シートは、定着部１１４を通過した後、排紙トレイへと送出される。
【０２２６】
センサーユニット１３０は、実施の形態１のセンサーユニット３０（図５）、変形例（１）のセンサーユニット３０ａ（図８）、又は、変形例（２）のセンサーユニット３０ｂ（図９）と同じ構成をしている。センサーユニット１３０は、シートが属する種類を判別する。
【０２２７】
主制御部１１１は、実施の形態１の主制御部２４（図４）及び主制御部５０（図６）の両方を兼ね備えている。
【０２２８】
センサーユニット１３０の発光素子３１は、波長７８０ｎｍの光を照射し、センサーユニット１３０の受光素子３３は、シートＳを透過した光の強度を示す第１信号を出力する。主制御部１１１の演算部５３は、受信した第１信号により、第１透過率を算出する。また、センサーユニット１３０の発光素子３２は、波長１１００ｎｍの光を照射し、センサーユニット１３０の受光素子３３は、シートＳを透過した光の強度を示す第２信号を出力する。主制御部１１１の演算部５３は、受信した第２信号により、第２透過率を算出する。
【０２２９】
演算部５３は、比率（＝第２透過率／第１透過率）を算出し、主制御部１１１の判断部５２は、算出された比率と第１閾値とを比較する。比率が第１閾値より小さい場合、制御部５１は、シートが属する種類を「Ａ」（非コート紙）と設定する。比率が第１閾値と等しい場合又は比率が第１閾値より大きい場合、制御部５１は、シートが属する種類を「Ｂ」（コート紙）と設定する。
【０２３０】
次に、主制御部１１１は、設定したシートが属する種類により、画像形成条件を設定して画像形成を行う。
【０２３１】
こうして、実施の形態１と同様に、実施の形態２においても、シートが属する種類を判別することができる。
【０２３２】
１０  その他の変形例
本発明について、上記の各実施の形態及び複数の変形例に基づいて説明しているが、上記の各実施の形態及び複数の変形例には、限定されない。以下に示すようにしてもよい。
【０２３３】
（１）上記の各実施の形態及び複数の変形例において説明したように、各センサーユニットは、波長７８０ｎｍの光を照射する発光素子３１及び波長１１００ｎｍの光を照射する発光素子３２を備えている。ここで、波長７８０ｎｍと波長１１００ｎｍとは離散している。しかし、この構成には、限定されない。
【０２３４】
各センサーユニットは、波長７８０ｎｍから波長１１００ｎｍの間の波長帯域であって、波長７８０ｎｍ及び波長１１００ｎｍ以外の他の一つ以上の離散した波長（例えば、波長８５０ｎｍ、波長９００ｎｍ、波長１０００ｎｍ）の光を照射する発光素子を備えているとしてもよい。
【０２３５】
各センサーユニットの受光素子は、これらの複数の発光素子から照射され、シートを透過した透過光を受光する。
【０２３６】
例えば、各センサーユニットは、波長７８０ｎｍ、波長８５０ｎｍ、波長９００ｎｍ、波長１０００ｎｍ及び波長１１００ｎｍの光をそれぞれ照射する５個の発光素子を備えている。
【０２３７】
各センサーユニットが備える受光素子は、波長７８０ｎｍ、波長８５０ｎｍ、波長９００ｎｍ、波長１０００ｎｍ及び波長１１００ｎｍの透過光を受光し、演算部５３は、それぞれの波長の透過光から透過率Ｔ１、Ｔ２、Ｔ３、Ｔ４、Ｔ５を算出する。
【０２３８】
また、演算部５３は、波長と透過率の５組の座標点（７８０、Ｔ１）、（８５０、Ｔ２）、（９００、Ｔ３）、（１０００、Ｔ４）及び（１１００、Ｔ５）を用いて、これらの５組の座標点に近接する近似直線を算出し、算出した近似直線の傾きを、透過率曲線の傾きとしてもよい。
【０２３９】
このように、多くの波長の透過率から、傾きを算出するので、２つの波長の透過率から、傾きを算出する場合と比較すると、算出される傾きの精度が向上する。
【０２４０】
（２）上述したように、各装置は、マイクロプロセッサーとメモリとを備えたコンピューターシステムである。メモリは、制御用のコンピュータープログラムを記憶しており、マイクロプロセッサーは、コンピュータープログラムに従って動作する、としてもよい。
【０２４１】
ここで、コンピュータープログラムは、所定の機能を達成するために、コンピューターに対する指令を示す命令コードが複数個組み合わされて構成されたものである。
【０２４２】
また、コンピュータープログラムは、コンピューター読み取り可能な記録媒体、例えば、フレキシブルディスク、ハードディスク、光ディスク、半導体メモリなどに記録されている、としてもよい。
【０２４３】
また、コンピュータープログラムを、電気通信回線、無線通信回線又は有線通信回線、インターネットを代表とするネットワーク、データ放送等を経由して伝送する、としてもよい。
【０２４４】
また、コンピュータープログラムを記録媒体に記録して移送することにより、又はコンピュータープログラムをネットワーク等を経由して移送することにより、独立した他のコンピューターシステムにより実行する、としてもよい。
【０２４５】
（３）上記実施の形態と上記変形例を組み合わせる、としてもよい。
【産業上の利用可能性】
【０２４６】
本発明にかかるシート判別装置は、シートが属する種類を判別できるという優れた効果を奏し、シートが属する種類を判別する技術として有用である。
【符号の説明】
【０２４７】
１    画像形成装置
２    プリンター
３    シート判別装置
４    給紙装置
３０、３０ａ、３０ｂ    センサーユニット
３１、３２、３６    発光素子
３３〜３５、３８    受光素子
３７    光学素子
５０    主制御部
５１    制御部
５２    判断部
５３    演算部
５４    記憶部
５５    接続部
５６    入出力部
１００    画像形成装置
【図１】
2019132697.tif 000003
【図２】
2019132697.tif 000004
【図３】
2019132697.tif 000005
【図４】
2019132697.tif 000006
【図５】
2019132697.tif 000007
【図６】
2019132697.tif 000008
【図７】
2019132697.tif 000009
【図８】
2019132697.tif 000010
【図９】
2019132697.tif 000011
【図１０】
2019132697.tif 000012
【図１１】
2019132697.tif 000013
【図１２】
2019132697.tif 000014
【図１３】
2019132697.tif 000015
【図１４】
2019132697.tif 000016
【図１５】
2019132697.tif 000017
【図１６】
2019132697.tif 000018
【図１７】
2019132697.tif 000019
【図１８】
2019132697.tif 000020
【図１９】
2019132697.tif 000021
【図２０】
2019132697.tif 000022
【図２１】
2019132697.tif 000023
【図２２】
2019132697.tif 000024
【図２３】
2019132697.tif 000025
【図２４】
2019132697.tif 000026
【図２５】
2019132697.tif 000027